(57)【要約】【課題】全体構造が複雑化しすぎたり、局部的に構造が複雑化しすぎたりせず、しかも、所望の光表示を視認性良好に行える表示灯を提供する。【解決手段】光軸αが上方へ向けられた複数個の発光ダイオード１１１が環状に配列された発光ダイオード基板１１と、環状配列発光ダイオード１１１の内側で立ち上がり、発光ダイオード１１１の上方へ拡開する、発光ダイオード１１１に向けられた光反射面ｓ１、ｓ２を有する光反射部材１２とを含む放光ユニット１が上下方向に複数段に配置されて放光ユニット支持体２に支持されており、支持体２には発光ダイオード１１１の点灯消灯状態を制御する発光ダイオード制御部４が設けられている表示灯Ａ。【選択図】図１
0003139034.tif 000002
【実用新案登録請求の範囲】
【請求項１】
光軸が上方へ向けられた複数個の発光ダイオードが環状に配列された発光ダイオード基板と、該環状配列発光ダイオードの内側で立ち上がり、該発光ダイオードの上方へ拡開する、発光ダイオードに向けられた光反射面を有する光反射部材とを含む放光ユニットが上下方向に複数段に配置されて放光ユニット支持体に支持されており、該放光ユニット支持体には各放光ユニットにおける各発光ダイオードの点灯消灯状態を制御する発光ダイオード制御部が設けられていることを特徴とする表示灯。
【請求項２】
前記各放光ユニットにおける光反射部材は、前記環状配列発光ダイオードの内側で発光ダイオード基板位置から立ち上がる多角形筒体部と該多角形筒体部の上端から該発光ダイオードの上方へ拡開する倒立頭載多角錐体部とを含んでおり、該多角形筒体部の発光ダイオードに向けられた平坦外面からなる外周面及び倒立頭載多角錐体部の発光ダイオードに向けられた平坦外面からなる外周面が前記光反射面を提供している請求項１記載の表示灯。
【請求項３】
前記多角形筒体部の外周面を形成している各平坦外面は前記倒立頭載多角錐体部の外周面を形成している平坦外面のうちの一つに連続しており、前記発光ダイオードは、互いに連続する該多角形筒体部の平坦外面と該倒立頭載多角錐体部の平坦外面との組み合わせのそれぞれに対し均等に割り当て配置されている請求項２記載の表示灯。
【請求項４】
前記光反射部材の光反射面は光反射部材本体への光反射膜形成により得られた面である請求項１、２又は３記載の表示灯。
【請求項５】
前記上下方向に複数段に配置された放光ユニットにおける各上下に隣り合う放光ユニットは、上側の放光ユニットの発光ダイオード基板が下側の放光ユニットの光反射部材の上端部に積み重ね配置されており、該上下方向に複数段に配置された放光ユニットは、これら放光ユニットを貫通するボルトと該貫通ボルトに螺合するナットとで連結されている請求項１、２、３又は４記載の表示灯。
【請求項６】
前記上下複数段配置の放光ユニットは、前記ボルトとナットで連結された状態で前記放光ユニット支持体に支持されている請求項５記載の表示灯。
【請求項７】
前記放光ユニット支持体に支持された放光ユニットを覆って該支持体に接続可能の透光性の放光ユニットカバーを備えている請求項１から６のいずれか一項に記載の表示灯。
【請求項８】
前記発光ダイオード制御部は、前記各放光ユニットにおける発光ダイオードを回転点灯させることができる制御部である請求項１から７のいずれか一項に記載の表示灯。
【請求項９】
前記各段の放光ユニットにおいて各発光ダイオードの発光色は同じであり、各段の放光ユニットにおける発光ダイオードの発光色は、他の段の放光ユニットにおける発光ダイオードの発光色と同じである請求項１から８のいずれか一項に記載の表示灯。
【請求項１０】
前記各段の放光ユニットにおいて各発光ダイオードの発光色は同じであり、各段の放光ユニットにおける発光ダイオードの発光色は、他の段の放光ユニットにおける発光ダイオードの発光色とは異なっている請求項１から８のいずれか一項に記載の表示灯。
【請求項１１】
前記各段の放光ユニットには該放光ユニットにおける他の発光ダイオードのうち１又は２以上とは異なる発光色で発光する発光ダイオードが含まれている請求項１から８のいずれか一項に記載の表示灯。
【考案の詳細な説明】
【技術分野】
【０００１】
本考案は、各種分野において使用できる表示灯に関する。
【背景技術】
【０００２】
表示灯は種々のタイプのものが知られているが、その中に、光源として発光ダイオードを用い、該発光ダイオードを複数個配列して個々の発光ダイオードを点灯消灯制御して所望の光表示を行える表示灯がある。
【０００３】
例えば、特開平４−７３８０２号公報には、複数個の発光ダイオードを第１及び第２の２グループに分け、そのうち第１グループの発光ダイオードは光軸を上方へ向けてリング状に配列し、第２グループの発光ダイオードは光軸を水平方向に外側へ向けてリング状且つ放射状に、さらに第１グループの発光ダイオードの外側に配列し、第１グループの発光タイオードから発散された光束を水平方向に放射状に反射する放物面鏡を設け、各発光ダイオードを制御回路の制御のもとに点滅させることで回転灯の如く光表示する表示灯が記載されている。
【０００４】
【特許文献１】特開平４−７３８０２号公報
【考案の開示】
【考案が解決しようとする課題】
【０００５】
しかしながら、光源として発光ダイオードを用い、該発光ダイオードを複数個配列して個々の発光ダイオードを点灯消灯制御して所望の光表示を行えるタイプの表示灯は、発光ダイオードの数を多くして所望の表示を行わせようとするためか、全体構造が複雑化したり、或いは局部的に構造が複雑化する傾向がみられる。また、その割りには光表示に難点が生じることもある。
【０００６】
例えば、上記特開平４−７３８０２号公報に記載の表示灯では、一つの基板に第１及び第２のグループの発光ダイオードが纏めて搭載されるので、発光ダイオードを含めた発光ダイオード基板はそれだけ構造が複雑化する。
【０００７】
また、同公報記載の表示灯では、第１グループの発光ダイオードの発光色と第２グループの発光ダイオードの発光色とを異ならせ、両グループの発光ダイオードを同時に点灯させて両グループ発光ダイオードの発光色のそれぞれを明瞭に視認させようとしても、第１及び第２のグループの発光ダイオードは一つの基板に纏めて搭載されているので、両グループの発光ダイオードの発光色の混じり合いが生じてしまう。
【０００８】
本考案は、光源として発光ダイオードを用い、該発光ダイオードを複数個配列して個々の発光ダイオードを点灯消灯制御して所望の光表示を行えるタイプの表示灯であって、全体構造が複雑化しすぎたり、局部的に構造が複雑化しすぎたりせず、しかも、所望の光表示を視認性良好に行える表示灯を提供することを課題とする。
【課題を解決するための手段】
【０００９】
本考案は前記課題を解決するため次の表示灯を提供する。
光軸が上方へ向けられた複数個の発光ダイオードが環状に配列された発光ダイオード基板と、該環状配列発光ダイオードの内側で立ち上がり、該発光ダイオードの上方へ拡開する、発光ダイオードに向けられた光反射面を有する光反射部材とを含む放光ユニットが上下方向に複数段に配置されて放光ユニット支持体に支持されており、該放光ユニット支持体には各放光ユニットにおける各発光ダイオードの点灯消灯状態を制御する発光ダイオード制御部が設けられている表示灯。
【００１０】
本考案に係る表示灯によると、各放光ユニットにおける環状に配列された複数の発光ダイオードのそれぞれを、発光ダイオード制御部の指示のもとに所定の順序、所定のタイミング等で点灯消灯制御し、それによりその放光ユニットによる所望の光表示を行える。
【００１１】
各放光ユニットにおいて各発光ダイオードから発せられた光の中には、
光反射部材へ向かうことなく直接外部へ向かうもの、
光反射部材の光反射面のうち環状配列発光ダイオードの上方へ拡開した光反射面部分へ向かうもの、
光反射部材の光反射面のうち環状配列発光ダイオードの内側に立ち上がる光反射面部分へ向かうもの等がある。
【００１２】
各放光ユニットにおける発光ダイオードはその光軸が上方へ向けられているので、発光ダイオードから発せられた光の多くは上方へ向かい、光反射部材の光反射面のうち発光ダイオードの上方へ拡開する光反射面部分に到達し、その部分で横方向外側へ向け反射される。発光ダイオードから発せられた光のうち光反射部材の光反射面のうち環状配列発光ダイオードの内側で立ち上がる光反射面部分に向かったものは、少なくとも一部がその部分で反射され、横方向外側へ反射される。
これら反射光も含めて発光ダイオードから発せられる光は表示灯を見る者に明瞭に視認される。
【００１３】
かくして、各放光ユニットにおいて、その放光ユニットによる所望の光表示を各発光ダイオードの点灯消灯制御により容易に行うことができ、しかも視認性良好に行うことができ、さらには、表示灯全体としても、上下に複数段に配置された放光ユニットのそれぞれの光表示の組み合わせによる所望の光表示を視認性良好に行える。
【００１４】
また、各放光ユニットは、光軸が上方に向けられた発光ダイオードが環状に配列されている簡素な構造の発光ダイオード基板と光反射部材との組み合わせによる構造簡単なものであり、表示灯全体としてみても、そのような放光ユニットが上下に複数段に配置されている簡単な構造のものであり、表示灯の全体構造が複雑化しすぎたり、局部的に構造が複雑化しすぎたりすることは抑制できる。
【００１５】
前記各放光ユニットにおける光反射部材としては、比較的構造簡単なものとして、また、光反射を良好に行えるものとして、前記環状配列発光ダイオードの内側で発光ダイオード基板位置から立ち上がる多角形筒体部と該多角形筒体部の上端から該発光ダイオードの上方へ拡開する倒立頭載多角錐体部とを含むものを例示できる。
【００１６】
このような光反射部材を採用するときは、該多角形筒体部の発光ダイオードに向けられた平坦外面からなる外周面及び倒立頭載多角錐体部の発光ダイオードに向けられた平坦外面からなる外周面に前記光反射面を提供させることができる。
【００１７】
また、このような光反射部材を採用する場合、該多角形筒体部の外周面を形成している各平坦外面を前記倒立頭載多角錐体部の外周面を形成している平坦外面のうちの一つに連続させることができる。その場合、前記発光ダイオードを、互いに連続する該多角形筒体部の平坦外面と該倒立頭載多角錐体部の平坦外面との組み合わせのそれぞれに対し均等に（個数、反射面に対する配置状態等において均等に）割り当て配置することが望ましい。      
【００１８】
いずれにしても、前記光反射部材の光反射面は、光反射部材本体そのもの（本体の外面材料そのもの）により提供される反射面であってもよいが、光反射を良好にするために、真空蒸着、メッキ等の膜形成手法により光反射部材本体上に形成された光反射膜（例えばアルミニウム膜）により提供されるものでもよい。
【００１９】
前記複数の放光ユニットの上下方向複数段の配置は、構造の簡素化のために次のようにしてもよい。すなわち、
前記上下方向に複数段に配置された放光ユニットにおける各上下に隣り合う放光ユニットは、上側の放光ユニットの発光ダイオード基板を下側の放光ユニットの光反射部材の上端部に積み重ね配置し、該上下方向に複数段に配置した放光ユニットは、これら放光ユニットを貫通するボルトと該貫通ボルトに螺合するナットとで連結するのである。
【００２０】
前記上下複数段配置の放光ユニットは、前記ボルトとナットで連結された状態で前記放光ユニット支持体に支持させることができる。
【００２１】
いずれにしても、本考案に係る表示灯は、前記放光ユニット支持体に支持された放光ユニットを覆って該支持体に接続可能の透光性の放光ユニットカバーを備えていてもよい。      
【００２２】
前記発光ダイオード制御部は、発光ダイオードの点灯消灯に関して様々に設定することができる。例えば、各放光ユニットにおける発光ダイオードは環状に配列されているので、回転点灯させることができる。すなわち、例えば、発光ダイオードを順次点灯していく一方で、さきに点灯させた発光ダイオードを順次消灯させ、それによりあたかも発光光源が回転しているかのごとくに点灯消灯制御することができる。
【００２３】
また、いずれにしても、発光ダイオードの発光色に関しては、
(1) 前記各段の放光ユニットにおいて各発光ダイオードの発光色は同じであり、各段の放光ユニットにおける発光ダイオードの発光色は、他の段の放光ユニットにおける発光ダイオードの発光色と同じである場合( この場合、複数段の同色発光により明るく光表示できる。）、
(2) 前記各段の放光ユニットにおいて各発光ダイオードの発光色は同じであり、各段の放光ユニットにおける発光ダイオードの発光色は、他の段の放光ユニットにおける発光ダイオードの発光色とは異なっている場合、
(3) 前記各段の放光ユニットには該放光ユニットにおける他の発光ダイオードのうち１又は２以上とは異なる発光色で発光する発光ダイオードが含まれている場合
を例示できる。
【考案の効果】
【００２４】
以上説明したように本考案によると、光源として発光ダイオードを用い、該発光ダイオードを複数個配列して個々の発光ダイオードを点灯消灯制御し、点灯発光ダイオードと消灯発光ダイオードの組み合わせにより所望の光表示を行えるタイプの表示灯であって、全体構造が複雑化しすぎたり、局部的に構造が複雑化しすぎたりせず、しかも、所望の光表示を視認性良好に行える表示灯を提供することができ。
【考案を実施するための最良の形態】
【００２５】
以下本考案に係る表示灯の例について図面を参照して説明する。
図１は本考案に係る表示灯例（表示灯Ａ）の、一部縦断の正面図である。
表示灯Ａは、上下２段に配置された放光ユニット１、これら放光ユニット１を支持する放光ユニット支持体２、放光ユニットのカバー３及び各放光ユニット１における後述する各発光ダイオード１１１の点灯消灯状態を制御する発光ダイオード制御部４を含んでいる。
【００２６】
各段の放光ユニット１は、発光ダイオード基板１１と光反射部材１２との組み合わせを含んでいる。
【００２７】
発光ダイオード基板１１は、複数個の発光ダイオード１１１を環状に配列したものである。放光ユニットカバー３を外して示す表示灯Ａの平面図（図２）から分かるように、発光ダイオード１１１は基板１１に二重リング状に配列されている。各発光ダイオード１１１は、本例では所謂砲弾型発光ダイオードであり、発せられる光の光軸α（図４参照）が上方に向くように基板１１に設置されている。本例では、いずれの発光ダイオードも白色光を発するものである。
【００２８】
図３は各放光ユニット１における光反射部材１２の断面を示している。図１〜図３から分かるように、各放光ユニット１における光反射部材１２は、環状配列の発光ダイオード１１１の内側中央部で発光ダイオード基板位置〔本例では基板上面の位置（基板上面から僅かに浮き上がった位置も含む）〕から真っ直ぐ上方へ立ち上がる多角形筒体部１２１と該多角形筒体部の上端から発光ダイオード１１１の上方へ斜めに立ち上がって拡開する倒立頭載多角錐体部１２２とを含んでいる。
【００２９】
倒立頭載多角錐体部１２２は図３に示すように中空に形成されている。多角形筒体部１２１と倒立頭載多角錐体部１２２との境目部分に対応する内側には多角形板状部１２３がある。これら、多角形筒体部１２１、倒立頭載多角錐体部１２２及び多角形板状部１２３は一体的に形成されている。多角形筒体部１２１は本例では１６角形筒体部であり、倒立頭載多角錐体部１２２はそれに対応して１６角形の倒立頭載錐体部である。板状部１２３も１６角形板状部である。
【００３０】
多角形筒体部１２１の発光ダイオードに向けられた平坦外面ｓ１からなる外周面Ｓ１０及び倒立頭載多角錐体部１２２の発光ダイオードに向けられた平坦外面ｓ２からなる外周面Ｓ２０は光反射面を提供している。さらに言えば、環状配列発光ダイオード１１１の内側中央部で立ち上がり、発光ダイオード１１１の上方へ斜めに立ち上がって拡開する、発光ダイオードに向けられた光反射面を提供している。
【００３１】
各光反射部材１２における多角形筒体部１２１の外周面Ｓ１０を形成している各平坦外面ｓ１は倒立頭載多角錐体部１２２の外周面ｓ２０を形成している平坦外面ｓ２のうちの一つに略４５°の角度をなして連続しており、発光ダイオード１１１は、互いに連続する多角形筒体部１２１の平坦外面ｓ１と倒立頭載多角錐体部１２２の平坦外面ｓ２との組み合わせのそれぞれに対し、図２に示すように、４個ずつ、同じ配置状態で均等に割り当て配置されている。
【００３２】
各光反射部材１２の光反射面は光反射部材本体への、アルミニウムの真空蒸着膜の形成により鏡面状態とされている。
【００３３】
光反射部材１２の板状部１２３の中央部には上下方向に延びるボルト通し柱１２４が固設されており、該柱１２４の上端高さ位置は倒立頭載多角錐体部１２２の上端高さ位置に一致しており、下端高さ位置は多角形筒体部１２１の下端高さ位置に一致している。
【００３４】
また板状部１２３には、発光ダイオード基板１１等からの配線を通す孔１２５も形成されている。
倒立頭載多角錐体部１２２の上端には、後述するように、その上側に配置されることがある発光ダイオード基板１１周縁部の位置決め孔ａを嵌着させる位置決め突起ｂが上方へ向け一体的に突設されている。
【００３５】
上下方向に２段に配置された放光ユニット１のうち上側の放光ユニット１の発光ダイオード基板１１は、その周縁部の位置決め孔ａが下側放光ユニット１の光反射部材１２の上端にある位置決め突起ｂに嵌着されて、該下側放光ユニット１の光反射部材１２に積み重ね配置されている。
【００３６】
そして、上側放光ユニット１の光反射部材１２におけるボルト通し柱１２４の上端から該柱１２４、上側の発光ダイオード基板１１の中央部、さらに下側放光ユニット１の光反射部材１２におけるボルト通し柱１２４及び下側発光ダイオード基板１１の中央部、さらに下側発光ダイオード基板１１の下面に当てがった部材５（図１参照）に貫通させたボルトＢに部材５の下面側からナットＮを螺合緊締することで、上下２段の放光ユニット１が互いに分離しないように連結されている。
【００３７】
図１に示すように、放光ユニット支持体２は本例では円筒形状のもので、内側に９０°の中心角度間隔で放光ユニット支持部材２１が突設されており、ここに、前記のように上下２段に連結された放光ユニット１が、下段放光ユニット１の発光ダイオード基板１１の部分で接着固定され、このようにして上下２段に連結された放光ユニット１が支持体２に支持されている。
【００３８】
各発光ダイオード１１１の点灯消灯を制御する制御部４は、支持体２に内蔵されており、一つの支持部材２１に取り付けられている。上下の各発光ダイオード基板１１からの配線Ｌ１、Ｌ２がこの制御部４に接続さているとともに外部電源からの電力供給コードＣも制御部４に接続されている。
さらに支持体２の下端部には中央部を開口部２２０とした底板部材２２が設けられており、これに表示灯Ａを設置すべき図示省略の部材等への取り付けボルト２３が突設されている。
【００３９】
放光ユニット１には、透光性のカバー３が被せられ、カバー下端部内側の雌ねじと支持体上端部の雄ねじによるねじ機構３１にて支持体２に脱離可能に接続されている。それに限定される必要はないが、本例では赤色の透光性カバーである。
【００４０】
以上説明した表示灯Ａによると、各放光ユニットにおける環状に配列された複数の発光ダイオード１１１のそれぞれを、発光ダイオード制御部４の指示のもとに所定の順序、所定のタイミング等で点灯消灯制御し、それによりその放光ユニットによる所望の光表示を行える。
【００４１】
制御部４は、発光ダイオード１１１の点灯消灯に関して様々に設定することができるが、本例では、各放光ユニット１における発光ダイオード１１１を回転点灯させる。
本例では、前記のように光反射部材１２の互いに連続する多角形筒体部１２１の平坦外面ｓ１と倒立頭載多角錐体部１２２の平坦外面ｓ２との組み合わせのそれぞれに対し、図２に示すように、４個ずつ、同じ配置状態で均等に割り当て配置された該４個の発光ダイオードを一組として、発光ダイオードを４個ずつ順次点灯していく一方で、さきに点灯させた発光ダイオードを４個ずつ順次消灯させ、それによりあたかも発光光源が回転しているかのごとくに点灯消灯制御する。
【００４２】
各放光ユニット１において各発光ダイオード１１１から発せられた光の中には、
光反射部材１２へ向かうことなく直接外部へ向かうもの、
光反射部材１２の光反射面のうち環状配列発光ダイオードの上方へ拡開した光反射面ｓ２部分へ向かうもの、
光反射部材１２の光反射面のうち環状配列発光ダイオードの内側に立ち上がる光反射面ｓ１部分へ向かうもの等がある。
【００４３】
各放光ユニット１における発光ダイオード１１１はその光軸αが上方へ向けられているので、発光ダイオード１１１から発せられた光の多くは上方へ向かい、光反射部材１２の光反射面のうち発光ダイオードの上方へ拡開する光反射面ｓ２部分に到達し、その部分で横方向外側へ向け反射される。
【００４４】
発光ダイオード１１１から発せられた光のうち光反射部材１２の光反射面のうち環状配列発光ダイオードの内側で立ち上がる光反射面ｓ１部分に向かったものは、少なくとも一部がその部分で反射され、横方向外側へ反射される。
【００４５】
これら反射光も含めて発光ダイオード１１１から発せられる光は表示灯Ａを見る者に明瞭に視認される。しかも、上下２段の放光ユニット１からの発光により、一層明瞭に視認される。本例では、いずれの発光ダイオード１１１も白色発光し、カバー３は赤色であるから、赤色の回転灯の如くに光表示でき、そのように視認される。
【００４６】
各放光ユニット１は、光軸αが上方に向けられた発光ダイオード１１１が環状に配列されている簡素な構造の発光ダイオード基板１１と光反射部材１２との組み合わせによる構造簡単なものであり、表示灯Ａ全体としてみても、そのような放光ユニット１が上下に複数段に配置されている簡単な構造のものであり、表示灯Ａの全体構造が複雑化しすぎたり、表示灯Ａが局部的に構造が複雑化しすぎたりすることは抑えられる。
【００４７】
以上説明した表示灯Ａでは、いずれの発光ダイオード１１１も白色発光するものであったが、発光ダイオードの発光色に関しては、
(1) 各段の放光ユニット１において各発光ダイオード１１１の発光色は同じとし、各段の放光ユニット１における発光ダイオード１１１の発光色は、他の段の放光ユニット１における発光ダイオード１１１の発光色とは異ならせる場合、
(2) 各段の放光ユニット１には該放光ユニット１における他の発光ダイオード１１１のうち１又は２以上とは異なる発光色で発光する発光ダイオード１１１が含まれている場合
等であってもよい。
カバー３についても、その色は前記の赤色に限定されない、表示灯の用途や発光ダイオードの発光色に応じて無色透明のカバーも採用できる。
【００４８】
また、以上説明した表示灯Ａでは、制御部４は各放光ユニット１の発光ダイオード１１１を回転点灯させるものであったが、所望の、或いは求められる発光ダイオードの点灯消灯制御を行うように設定することで、表示灯Ａを様々に光表示させて様々の用途に用いることができる。発光ダイオードの発光色と発光ダイオードの点灯消灯制御の組み合わせにより例えば店舗、展示商品、遊園地遊具などの装飾用の表示灯としても利用できる。
【産業上の利用可能性】
【００４９】
本考案は各種分野で利用できる表示灯を提供することに利用できる。
【図面の簡単な説明】
【００５０】
【図１】本考案に係る表示灯例（表示灯Ａ）の、一部縦断の正面図である。
【図２】図１の表示灯の、放光ユニットカバーを外した平面図である。
【図３】放光ユニットを構成する光反射部材の断面図である。
【図４】発光ダイオードから発せられる光の、光反射部材による反射状態を説明する図である。
【符号の説明】
【００５１】
Ａ  表示灯
１  放光ユニット
１１  発光ダイオード基板
１１１  発光ダイオード
ａ  基板１１の位置決め孔
１２  光反射部材
１２１  多角形筒体部
ｓ１  平坦外面（光反射面の一部）
ｓ１０  外周面（光反射面）
１２２  倒立頭載多角錐体部
ｓ２  平坦外面（光反射面の一部）
ｓ２０  外周面（光反射面）
ｂ  位置決め突起
１２３  多角形板状部
１２４  ボルト通し柱
１２５  配線通し孔
Ｂ  ボルト
Ｎ  ナット
５  当てがい部材
２  放光ユニット支持体
３  放光ユニットカバー
４  発光ダイオード制御部
Ｌ１、Ｌ２  基板１１からの配線
Ｌ  電力供給コード
２１  放光ユニット支持部材
２２  底板部材
２３  ボルト
【図１】
0003139034.tif 000003
【図２】
0003139034.tif 000004
【図３】
0003139034.tif 000005
【図４】
0003139034.tif 000006